(57)【要約】【課題】収納庫の電気機器に接続したコード類を、収納庫内に収めて出荷することにより、他のキャビネットへの固定と配線作業とを切り離して行いうるようにする。【解決手段】筺体８の空間部の電気機器１０に接続したコード類１５を、筺体８の空間部内に配設するとともに、電源等に接続されるコード類１５の余長部１５ａを、筺体８の底板５の後端隅部に、筺体８内外に連通するように設けた通孔１３より挿通して、筺体８内の底板５上に収容する。【選択図】  図２
2004253532.tif 000002
【特許請求の範囲】
【請求項１】
収納庫の筺体における外面板と内面板との間の空間部に設けた電気機器と外部の電源等に接続されるコード類の前記収納庫出荷時の配線構造であって、前記電気機器に接続したコード類を、前記筺体の空間部内に配設するとともに、電源等に接続される前記コード類の余長部を、前記筺体の底板の後端隅部に、該筺体内と外部とに連通するように設けた通孔より挿通して、筺体内にまとめて収容したことを特徴とする収納庫の配線構造。
【請求項２】
筺体の側板における内面板の後端部を外向きに折曲して外面板の内面に固着し、内面板の後端面と筺体の後面板との間に形成される凹部内において、底板の上面に通孔を設けた請求項１に記載の収納庫の配線構造。
【請求項３】
筺体の底板における外面板の隅部に、配線孔を、通孔と連通するように穿設した請求項１または２に記載の収納庫の配線構造。
【請求項４】
筺体の底板の後部側端面に、配線孔を、通孔と連通するように穿設した請求項１または２記載の収納庫の配線構造。
【発明の詳細な説明】
【０００１】
【発明の属する技術分野】
本発明は、収納庫に設けられた電気機器に接続したコード類の配線構造、特に、収納庫を出荷する際の配線構造に関する。
【０００２】
【従来の技術】
従来の収納庫の配線構造としては、収納庫（キャビネット）内の縦仕切板を、仕切板本体とカバーとからなるものとし、それらの内部空間に設けたコネクタと、仕切板本体及びカバーに取付けたコンセントとを、内部空間において送電用コードで接続するとともに、コネクタに接続した給電用コードを、収納庫の底板に穿設した配線孔を挿通して下方に引き出したものがある（例えば特許文献１参照）。
【特許文献１】
特開２００２−２９００８３号公報（図２，図３等）
【０００３】
【発明が解決しようとする課題】
上記特許文献に記載された従来の配線構造では、給電用コードを挿通する配線孔が、縦仕切板の内部空間と対応する位置に、それと連通するように穿設されており、カバーを取付けた状態では、コネクタへの給電コードの接続が不可能であるため、収納庫の組立て行程において予めコネクタに給電用コードを接続し、電源に接続する余長コードは、まとめて底板の下面にテープ等により仮固定して出荷する必要がある。
【０００４】
このように、底板の下面に余長コードを仮固定して出荷すると、収納庫を下部キャビネットの上面に載置して固定する際に、下部キャビネットの配線孔への余長コードの配線作業と、収納庫の載置及び固定や位置決め作業とを、同時に、しかも収納庫を持ち上げた状態で行わなければならず、作業人員が増えるとともに、作業能率も悪い。
【０００５】
この問題に対処するためには、カバー及び給電用コードを、部品として出荷し、収納庫の設置現場でカバーを組付けると共に、コードをコネクタに接続することも考えられるが、このようにすると、設置現場での作業工数が増えるので好ましくない。本発明は、上記問題点を解決するためになされたもので、コード類を、収納庫に取付けた電気機器に接続した状態で、収納庫内に収めて出荷し得るようにし、他のキャビネット等に密接して固定する作業と配線作業とを、切り離して容易に行うことができるようにした収納庫の配線構造を提供することを目的としている。
【０００６】
【課題を解決するための手段】
上記目的を達成するために、本発明の収納庫の配線構造は、収納庫の筺体における外面板と内面板との間の空間部に設けた電気機器と外部の電源等に接続されるコード類の前記収納庫出荷時の配線構造であって、前記電気機器に接続したコード類を、前記筺体の空間部内に配設するとともに、電源等に接続される前記コード類の余長部を、前記筺体の底板の後端隅部に、該筺体内と外部とに連通するように設けた通孔より挿通して、筺体内にまとめて収容したことを特徴としている。
上記構成の本発明によると、筺体の空間部内の電気機器に接続したコード類の余長部を、底板の通孔より挿通して筺体内にまとめて収容し、この状態で収納庫を出荷することにより、該収納庫を例えば設置現場で下部キャビネット上に載置して固定する際等において、その固定作業を、コード類の配線作業と切り離して単独で行うことができ、その作業が終了してから下部キャビネットへの配線作業を行うことができる。
【０００７】
上記配線構造において、筺体の側板における内面板の後端部を外向きに折曲して外面板の内面に固着し、内面板の後端面と筺体の後面板との間に形成される凹部内において、底板の上面に通孔を設けるのが好ましい。
このようにすると、通孔は、内面板の内側面より外方に位置するので、収納庫に収用される物品が、配線後のコード類と接触したり、コード類が物品の出し入れの妨げとなるのを防止することができる。
【０００８】
上記配線構造において、筺体の底板における外面板の隅部に、配線孔を、通孔と連通するように穿設するのが好ましい。
このようにすると、収納庫を下部キャビネット等に載置して固定した後に、コード類の余長部を、底板の外面板に穿設した配線孔より、下部キャビネットの天板に形成した配線孔に落とし込むことにより、外部に露出させずに体裁よく配線することができる。
【０００９】
上記配線構造において、筺体の底板の後部側端面に、配線孔を、通孔と連通するように穿設するのが好ましい。
このようにすると、収納庫の側板に、他の収納庫等を密接させて固定した後に、コード類の余長部を、底板の後部側端面に穿設した配線孔より、他の収納庫の側部の配線孔に向かって側方に通線することにより、外部に露出させずに体裁よく配線することができる。
【００１０】
【発明の実施の形態】
以下、本発明の実施形態を図面に基づいて説明する。
【００１１】
図１は、本発明を適用した収納庫１を、上下３段の引出し２を備える下部キャビネット３の上面に固定した例を示す正面図、図２は、収納庫出荷時における図１のＩＩ−ＩＩ線の拡大横断平面図である。
【００１２】
収納庫１は、左右の側板４，４と、底板５と、天板６と、後面板７とからなる筺体８の前面開口部に、左右２枚の引き違い戸９，９を取付けて構成されている。両引き違い戸９は、底板５の内部空間に収容された施解錠装置（図示略）の電動アクチュエータ１０を、例えばリモコン等により作動することにより、自動的に施解錠されるようになっている。
【００１３】
側板４は、外面板４ａと、その内面側に所定寸法離間させて固着された内面板４ｂとからなり、底板５の側端上面に立設されている。また、内面板４ｂの後端部は、外側方に直角に折曲されて外面板４ａの内面に溶接されており、その折曲部の内面板４ｂの後端面と後面板７の前面との間には凹部１１が形成されている。
【００１４】
底板５は、図３に示すように、外面板である底面板５ａと、その上面側に所定寸法離間させて固着された、内面板である上面板５ｂとからなり、それらの間には空間部１２が形成され、この空間部１２の前端部中央に、上記電動アクチュエータ１０が収容されている。
【００１５】
底板５における底面板５ａと上面板５ｂとの後端隅部、すなわち上記左右の凹部１１が形成された位置には、矩形をなす通孔１３と配線孔１４とが、上下対向状に、かつ筺体８の内部と外部とに連通するように穿設されている。
【００１６】
電動アクチュエータ１０に接続された給電用コード１５は、底板５の空間部１２を、例えば右方に配線された後、側板４の直下において後方に向かって配線され、その余長部１５ａが、上面板５ｂの通孔１３より筺体８内に引き出されている。
【００１７】
引き出された余長部１５ａは、丸めるなどして上面板５ｂの上面にテープ１６等により仮固定され、この状態で収納庫１は出荷される。なお、コード１５を、上記とは反対に左側に配線し、余長部１５ａを左側の通孔１３より引き出すこともできる。
【００１８】
このように配線されて出荷された収納庫１を、設置現場において図１に示すように下部キャビネット３の上面に固定する際、コード１５は底板５の空間部１２内に配設され、かつ余長部１５ａも、通孔１３より筺体８内に引き出されて上面板５ａに仮固定されているため、下部キャビネット３への収納庫１の固定作業を単独で支障なく行うことができる。
【００１９】
そして、収納庫１の固定作業が終了した後、差込みプラグ１７を取付けた余長部１５ａを、通孔１３及び配線孔１４より下方に挿通し、図３の想像線で示すように、下部キャビネット３の天板１８に予め穿設された配線孔１９に落とし込めば、底板まで容易に配線することができる。
【００２０】
従って、収納庫１の固定作業と、下部キャビネット３への配線作業とを、同時に、かつ収納庫１を持ち上げた状態で行う必要はなく、省力化が図れるだけでなく、作業能率も向上する。
【００２１】
図４は、本発明の他の実施形態を示すもので、この実施形態は、側板４における内面板４ｂに、電気機器であるコンセント２０を、本体を側板４の空間部内に位置させて取付けた例を示すもので、この際には、給電用コード１５を、側板４の空間部内においてコンセント２０に接続し、余長部１５ａは、側板４の空間部内の後端部において底板５の上面板５ｂに穿設した挿通孔（図示略）より、一旦底板５の空間部１２内に挿入した後、上面板５ｂの通孔１３より引き出し、上記と同様、テープ１６により上面板５ｂ上に仮固定する。
【００２２】
この実施形態でも、上記と同様、収納庫１の下部キャビネット３への固定作業と、余長部１５ａの配線作業とを切り離して容易に行うことができる。
【００２３】
なお、この実施形態においては、側板４の内面板４ｂの後端面下部に挿通孔を穿設し、この挿通孔より余長部１５ａを直接引き出して、上面板５ｂの上面に仮固定するようにしてもよい。
【００２４】
図５は、収納庫１の側方に、別の収納庫２１等を、側板４に密接させて固定する際のコード１５の配線例を示す。
【００２５】
この際には、底板５における後部側端面に配線孔２２を穿設し、上記と同様の電動アクチュエータ１０に接続したコード１５の余長部１５ａを、配線孔２２より別の収納庫２１に予め穿設された配線孔２３に通線すればよい。
【００２６】
このように、収納庫１の側方に別の収納庫２１等を固定する際でも、底板５の側端面に配線孔２２を穿設することにより、収納庫同士を固定した後で、配線作業を行うことができる。
【００２７】
本発明は、上記電動アクチュエータ１０やコンセント２０への給電用コード１５の配線だけでなく、例えば電話回線用のジャックや通信線用のコネクタ等の電気機器を収納庫１に設け、それらに配線する際にも適用することができる。
【００２８】
【発明の効果】
本発明によれば、次のような効果を奏することができる。
【００２９】
（ａ）請求項１に記載の発明によれば、収納庫の出荷時に、筺体の外面板と内面板との間の電気機器に接続したコード類の余長部を、底板の通孔を挿通して筺体内にまとめて収容することにより、例えば収納庫を設置現場で下部キャビネットの上面に載置して固定する際に、その固定作業を、配線作業と切り離して支障なく行うことが可能となり、固定作業の終了後に、下部キャビネットへの配線作業を容易に行うことができる。
【００３０】
（ｂ）請求項２に記載の発明によれば、通孔は、内面板の内側面より外方に位置するので、収納庫に収容される物品が配線後のコード類と接触したり、コード類が物品の出し入れの妨げとなるのが防止される。
【００３１】
（ｃ）請求項３に記載の発明によれば、収納庫を下部キャビネット等に載置して固定した後に、コード類の余長部を、底板の外面板に穿設した配線孔より、下部キャビネットの天板に形成した配線孔に落とし込むことにより、外部に露出させずに体裁よく配線することができる。
【００３２】
（ｄ）請求項４に記載の発明によれば、収納庫の側板に、他の収納庫等を密接させて固定させた後に、コード類の余長部を、底板の後部側端面に穿設した配線孔より、他の収納庫の側部に形成した配線孔に向かって、側方に通線することにより、外部に露出させずに体裁よく配線することができる。
【図面の簡単な説明】
【図１】本発明を適用した収納庫を、キャビネットの上面に固定した例を示す正面図である。
【図２】収納庫出荷時における図１のＩＩ−ＩＩ線に沿う拡大横断平面図である。
【図３】同じく、図２のＩＩＩ−ＩＩＩ線の拡大縦断後面図である。
【図４】本発明の他の実施形態を示す要部の横断平面図である。
【図５】収納庫の側方に他の収納庫を密接させて固定する際の配線例を示す要部の拡大縦断後面図である。
【符号の説明】
１                    収納庫
２                    引出し
３                    下部キャビネット
４                    側板
４ａ                  外面板
４ｂ                  内面板
５                    底板
５ａ                  底面板（外面板）
５ｂ                  上面板（内面板）
６                    天板
７                    後面板
８                    筺体
９                    引き違い戸
１０                  電動アクチュエータ（電気機器）
１１                  凹部
１２                  空間部
１３                  通孔
１４                  配線孔
１５                  給電用コード
１５ａ                余長部
１６                  テープ
１７                  差し込みプラグ
１８                  天板
１９                  配線孔
２０                  コンセント（電気機器）
２１                  収納庫
２２                  配線孔
２３                  配線孔
【図１】
2004253532.tif 000003
【図２】
2004253532.tif 000004
【図３】
2004253532.tif 000005
【図４】
2004253532.tif 000006
【図５】
2004253532.tif 000007